(57)【要約】【課題】キャリアテープの位置合わせを容易に精度よく行うことができるテープフィーダを提供する。【解決手段】キャリアテープに収納されている電子部品をノズルで吸着して取り出す吸着開口７の側方に、キャリアテープ４の送り方向にスライドする位置合わせガイド１０を備えた。位置合わせガイド１０にはマーク１１が付されており、キャリアテープ４が正しく位置合わせされたら、位置合わせガイド１０をスライドさせ、マーク１１を電子部品の前端もしくは後端位置に合わせる。マーク１１は以後のキャリアテープ４の位置合わせの基準として用いられる。【選択図】図２
2010165897.tif 000002
【特許請求の範囲】
【請求項１】
ノズルで吸着した電子部品を外部に取り出すための吸着開口と、前記吸着開口の開口長さを調節する手段と、前記吸着開口に位置する電子部品の先端もしくは後端の位置合わせの基準となるマークが付された位置合わせガイドとを備え、
前記位置合わせガイドが、キャリアテープ送り方向に移動可能であることを特徴とするテープフィーダ。
【発明の詳細な説明】
【技術分野】
【０００１】
本発明は、テープフィーダにおけるキャリアテープの位置合わせに関するものである。
【背景技術】
【０００２】
キャリアテープに収納されている電子部品は、キャリアテープの送り動作によって吸着開口まで送り出され、この位置でノズルによって吸着されてテープフィーダから取り出される。テープフィーダで取り扱う電子部品には様々な大きさのものがあるため、電子部品の大きさに応じて吸着開口の開口長さが調整できるようになっている（特許文献１参照）。
【特許文献１】特許第３６４２２１７号公報
【発明の開示】
【発明が解決しようとする課題】
【０００３】
テープフィーダの使用にあたっては、キャリアテープをピッチ送りしたときに、キャリアテープに収納されている電子部品のセンターがノズルによる吸着位置に正しく停止するようにキャリアテープの位置合わせを行わなければならない。テープフィーダには電子部品のセンターを位置合わせすべき位置を示すセンターマークが記されており、このセンターマークを目安としてキャリアテープの位置合わせを行えばよいのであるが、異形部品などセンターの位置が分かりにくい電子部品の場合には位置合わせが難しいため、作業に時間がかかるだけでなく、個人差による精度のばらつきという問題が生じていた。
【０００４】
そこで本発明は、キャリアテープの位置合わせを容易に精度よく行うことができるテープフィーダを提供することを目的とする。
【課題を解決するための手段】
【０００５】
本発明のテープフィーダは、ノズルで吸着した電子部品を外部に取り出すための吸着開口と、前記吸着開口の開口長さを調節する手段と、前記吸着開口に位置する電子部品の先端もしくは後端の位置合わせの基準となるマークが付された位置合わせガイドとを備え、前記位置合わせガイドが、キャリアテープ送り方向に移動可能である。
【発明の効果】
【０００６】
本発明によれば、キャリアテープの位置合わせに電子部品のセンターの位置を特定する必要がないので、センターの位置が分かりにくい電子部品であっても、キャリアテープの位置合わせを容易に精度よく行うことができる。
【発明を実施するための最良の形態】
【０００７】
本発明の実施の形態について図面を参照して説明する。図１は本発明の実施の形態のテープフィーダの要部を示した分解斜視図、図２は本発明の実施の形態の位置合わせガイドの使用方法を示す説明図である。
【０００８】
最初に、図１を参照してテープフィーダの構成について説明する。スプロケット１には外周のピン２に送り孔３が係合するようにキャリアテープ４が掛けられており、スプロケット１の回転駆動によってキャリアテープ４の送り動作が行われる。スプロケット１は一定の回転角で間歇回転し、キャリアテープ４は等ピッチで順送りされる。キャリアテープ４に収納されている電子部品８は、スプロケット１の間歇回転によって吸着開口７まで送られ、この位置で停止し、図示しない実装装置のノズルによって吸着されてテープフィーダから取り出される。
【０００９】
テープフィーダの本体部５の上部には開閉可能なカバー部６が備わっている。カバー部６はキャリアテープ４の送り方向（矢印Ａ）に対して上流側で本体部５に枢支されており、ここを支点として回動させることで下流側から開閉可能である。
【００１０】
カバー部６の略中央には吸着開口７が形成されている。吸着開口７はキャリアテープ４に収納されている電子部品８をテープフィーダから取り出すための四角形の孔である。カバー部６にはキャリアテープ４の送り方向に移動可能な調節プレート９が備わっており、調節プレート９によって吸着開口７の一部を塞ぐことで吸着開口７のキャリアテープ４の送り方向における長さを調節することができる。テープフィーダは、電子部品８の大きさに対応してキャリアテープ４の送りピッチを変更することができる可変ピッチ機能を備えており、電子部品８が小さいときには調節プレート９によって吸着開口７を狭めて吸着する電子部品８のみを露出させ、他の電子部品が露出しないようにする。
【００１１】
吸着開口７の側方には位置合わせガイド１０が備わっている。位置合わせガイド１０はキャリアテープ４の送り方向に対して上下流方向（矢印Ｂ）に移動可能であり、任意の位置において容易に動くことがないように固定できるようになっている。位置合わせガイド１０の上面には、キャリアテープ４の送り方向に対して電子部品８の後端の位置合わせの目印となる位置合わせマーク１１が記されている。
【００１２】
次に、図２を参照して位置合わせガイド１０の使用方法について説明する。テープフィーダは、電子部品８のセンター位置がノズルの吸着位置Ｃと一致するように、キャリアテープ４をピッチ送りしなければならない。そのためキャリアテープ４をテープフィーダに装着するときには最初にキャリアテープ４の位置合わせを行い、センター位置がノズルの吸着位置Ｃと一致するように電子部品８の停止位置を調整する必要がある。この停止位置の調整は、図示しないセンターマークを目安にしたり、吸着開口７における電子部品８の配置、特に部品前後の空隙部のバランス等を目安にして行う。
【００１３】
このような調整方法では、異形部品などセンターの位置が分かりにくい電子部品の場合には位置合わせが難しいため、作業に時間がかかるだけでなく、個人差によって精度にばらつきが生じる可能性があるので、次回以降の調整には位置合わせガイド１０を用いる。最初に前述した調整方法で電子部品８の停止位置が確定したら、電子部品８の後端もしくは目印となる位置の延長上に位置合わせマーク１１が位置するように位置合わせガイド１０を移動させる。以後の電子部品８の停止位置調整は、位置合わせマーク１１に後端もしくは目印となる位置を合わせるだけでよく、キャリアテープ４の位置合わせを容易かつ精度よく行うことができる。
【産業上の利用可能性】
【００１４】
本発明によれば、キャリアテープの位置合わせに電子部品のセンターの位置を特定する必要がないので、センターの位置が分かりにくい電子部品であっても、キャリアテープの位置合わせを容易に精度よく行うことができ、殊に可変ピッチ機能を備えたテープフィーダを用いて行う電子部品実装に有用である。
【図面の簡単な説明】
【００１５】
【図１】本発明の実施の形態のテープフィーダの要部を示した分解斜視図
【図２】本発明の実施の形態の位置合わせガイドの使用方法を示す説明図
【符号の説明】
【００１６】
４  キャリアテープ
５  テープフィーダの本体部
６  カバー部
７  吸着開口
８  電子部品
１０  位置合わせガイド
１１  位置合わせマーク
【図１】
2010165897.tif 000003
【図２】
2010165897.tif 000004